(57)【要約】【課題】使用済みの印刷版を効率的かつ確実に回収する。【解決手段】印刷版１８にはＩＣタグ１８ａが埋め込まれている。このＩＣタグ１８ａに識別コードが付与される。使用済みの印刷版３３は回収容器３５により回収される。回収容器３５には印刷版回収受付機４０が取り付けられている。印刷版回収受付機４０はＩＣタグリーダを備える。このＩＣタグリーダにより、使用済みの印刷版３３の識別コードが読み取られる。この読み取った識別コードに基づいて、使用済みの印刷版３３の支持体が、印刷版１８の支持体として再利用可能であるか否かが判定される。再利用可能と判定された使用済みの印刷版３３は、印刷版１８の支持体のアルミニウム原料としてリサイクルするアルミニウム支持体リサイクル工場６０ａに送られる。【選択図】図１
2009096163.tif 000002
【特許請求の範囲】
【請求項１】
アルミニウム製の支持体を用いた印刷版に識別情報を付与する識別情報付与工程と、
使用済みの印刷版を回収するときに、前記使用済みの印刷版の識別情報に基づいて、前記使用済みの印刷版の支持体が、前記印刷版の支持体として再利用可能であるか否かを判定する再利用可否判定工程とを有することを特徴とする印刷版の回収方法。
【請求項２】
前記識別情報を識別情報読取部により読み取る識別情報読取工程を有することを特徴とする請求項１記載の印刷版の回収方法。
【請求項３】
前記再利用可否判定工程は、識別情報記憶部、照合部、及び第１判定部を用いて前記再利用可否の判定を行い、
前記識別情報記憶部は、前記印刷版に付与した識別情報を記憶し、
前記照合部は、前記使用済みの印刷版から読み取った識別情報と前記識別情報記憶部の識別情報とを照合し、
前記第１判定部は、前記照合部で両者が一致した場合に、前記使用済みの印刷版の支持体が前記印刷版の支持体として再利用可能であると判定し、前記識別情報記憶部の識別情報のいずれにも一致しない場合に、前記使用済みの印刷版の支持体が前記印刷版の支持体として再利用不能であると判定することを特徴とする請求項１または２記載の印刷版の回収方法。
【請求項４】
前記使用済みの印刷版の回収は、複数の使用済みの印刷版を回収梱包単位でまとめて行い、
前記再利用可否判定工程は、前記識別情報記憶部、前記照合部、前記第１判定部、及び第２判定部を用いて前記回収梱包単位で再利用可否の判定を行い、
前記第２判定部は、前記第１判定部の判定結果に基づき前記回収梱包単位におけるアルミニウム含有率を求め、このアルミニウム含有率が一定値以上である場合に前記回収梱包単位で再利用可能であると判定し、前記アルミニウム含有率が一定値未満である場合に前記回収梱包単位で再利用不能であると判定することを特徴とする請求項３記載の印刷版の回収方法。
【請求項５】
前記識別情報記憶部は、前記印刷版に付与した識別情報に加えて、この識別情報に対応する印刷版のアルミニウム含有率及び１枚当たりの総重量を記憶するとともに、前記識別情報が読み取れない印刷版に対するアルミニウム含有率及び１枚当たりの総重量を記憶し、
前記第２判定部は、前記使用済みの印刷版の回収ごとに、前記識別情報記憶部内の印刷版のアルミニウム含有率及び１枚当たりの総重量に基づいて、現時点における回収梱包単位でのアルミニウム含有率を算出することを特徴とする請求項４記載の印刷版の回収方法。
【請求項６】
前記第２判定部は、再利用可能枚数計数部、回収枚数計数部、アルミニウム含有率算出部を有し、
前記再利用可能枚数計数部は、前記第１判定部によって再利用可能と判定された使用済みの印刷版の枚数を再利用可能枚数として計数し、
前記回収枚数計数部は、使用済みの印刷版の回収枚数を計数し、
前記アルミニウム含有率算出部は、前記回収枚数及び再利用可能枚数に基づいて、前記回収梱包単位での使用済みの印刷版のアルミニウム含有率を算出することを特徴とする請求項４または５記載の印刷版の回収方法。
【請求項７】
前記使用済みの印刷版の回収は、複数の使用済みの印刷版を回収梱包単位でまとめて行い、
前記再利用可否判定工程は、前記識別情報記憶部、前記照合部、前記第１判定部、及び第３判定部を用いて前記回収梱包単位で再利用可否の判定を行い、
前記第３判定部は、前記第１判定部の判定結果に基づき前記回収梱包単位における不純物含有率を求め、この不純物含有率が一定値未満である場合に前記回収梱包単位で再利用可能であると判定し、前記不純物含有率が一定値以上である場合に前記回収梱包単位で再利用不能であると判定することを特徴とする請求項３ないし６いずれか１項記載の印刷版の回収方法。
【請求項８】
前記回収梱包単位で使用済みの印刷版が再利用可能であると判定された場合に、前記回収梱包単位の使用済みの印刷版の引取価格を第１引取価格として決定し、
前記回収梱包単位で使用済みの印刷版が再利用不能であると判定された場合に、前記回収梱包単位の使用済みの印刷版の引取価格を、前記第１引取価格よりも低額な第２引取価格として決定する引取価格決定工程を有することを特徴とする請求項４ないし７いずれか１項記載の印刷版の回収方法。
【請求項９】
印刷の管理、前記印刷版の管理、印刷に用いるインキの管理、及び印刷用紙などの被印刷体の管理を行うための識別情報を、前記印刷版に付与することを特徴とする請求項１ないし８いずれか１項記載の印刷版の回収方法。
【請求項１０】
ＩＣタグを用いて識別情報を前記支持体に付与し、前記識別情報読取部をＩＣタグリーダから構成し、前記ＩＣタグリーダを用いて前記ＩＣタグから前記識別情報を読み取ることを特徴とする請求項２ないし９いずれか１項記載の印刷版の回収方法。
【請求項１１】
前記ＩＣタグは、１回のみの情報の書込みが可能な第１記憶領域と、情報の書込みが可能な第２記憶領域とを有し、
前記第１記憶領域には前記使用済みの印刷版の支持体が再利用可能であるか否かを判定するための前記識別情報が記憶され、前記第２記憶領域には印刷の管理、前記印刷版の管理、印刷に用いるインキの管理、及び印刷用紙などの被印刷体の管理を行うための前記識別情報が記憶されることを特徴とする請求項１０記載の印刷版の回収方法。
【請求項１２】
請求項１ないし１１いずれか１項記載の印刷版の回収方法による印刷版の回収工程と、
前記再利用可否判定工程で再利用可能と判定された使用済みの印刷版を、前記印刷版の支持体のアルミニウム原料としてリサイクルするリサイクル工程とを含むことを特徴とする印刷版のリサイクル方法。
【請求項１３】
前記リサイクル工程は、
前記回収工程で回収された前記使用済みの印刷版を少なくとも回収梱包単位で溶解及び鋳造して再生インゴットを製造するインゴット製造工程と、
前記再生インゴットの組成を分析する組成分析工程と、
前記組成分析工程における組成分析が、前記印刷版の支持体の原料として再利用可能なアルミニウム含有率を満たしているか否かの合否判定をする組成判定工程とを有することを特徴とする請求項１２記載の印刷版のリサイクル方法。
【請求項１４】
前記組成判定工程で合格と判定されたときに、前記第１引取価格を用いて引き取り、
前記組成判定工程で不合格と判定されたときに、前記第１引取価格に代えて、前記第２引取価格を用いて引き取ることを特徴とする請求項１３記載の印刷版のリサイクル方法。
【請求項１５】
前記組成判定工程により合格と判定された使用済みの印刷版から製造される再生インゴットを用いて圧延し、前記印刷版の支持体を製造する圧延工程を有することを特徴とする請求項１３または１４記載の印刷版のリサイクル方法。
【請求項１６】
アルミニウム製の支持体を用いた印刷版に識別情報を付与する識別情報付与ユニットと、
使用済みの印刷版を回収するときに、前記使用済みの印刷版の識別情報に基づいて、前記使用済みの印刷版の支持体が、前記印刷版の支持体として再利用可能であるか否かを判定する再利用可否判定ユニットとを有することを特徴とする印刷版の回収システム。
【請求項１７】
アルミニウム製の支持体に識別情報が付与された印刷版を回収する印刷版の回収容器において、
使用済みの印刷版が入れられる容器本体と、
前記容器本体に取り付けられ、前記使用済みの印刷版の識別情報を読み取る識別情報読取ユニットと、
前記識別情報読取ユニットにより読み取った識別情報に基づいて、前記使用済みの印刷版の支持体が、前記印刷版の支持体として再利用可能か否かを判定する再利用可否判定ユニットと、
前記再利用可否判定ユニットによる判定結果を出力する出力ユニットとを有することを特徴とする印刷版の回収容器。
【請求項１８】
前記再利用可否判定ユニットは、
前記印刷版に付与されている識別情報を記憶する識別情報記憶部と、
前記使用済みの印刷版から読み取った識別情報と前記識別情報記憶部の識別情報とを照合する照合部と、
前記照合部で両者が一致した場合に、前記使用済みの印刷版の支持体が前記印刷版の支持体として再利用可能であると判定し、前記識別情報記憶部の識別情報のいずれにも一致しない場合に、前記使用済みの印刷版の支持体が前記印刷版の支持体として再利用不能であると判定する第１判定部とを有することを特徴とする請求項１７記載の印刷版の回収容器。
【請求項１９】
前記再利用可否判定ユニットは、
前記第１判定部の判定結果に基づき前記回収梱包単位におけるアルミニウム含有率を求め、このアルミニウム含有率が一定値以上である場合に前記回収梱包単位で再利用可能であると判定し、前記アルミニウム含有率が一定値未満である場合に前記回収梱包単位で再利用不能であると判定する第２判定部を有することを特徴とする請求項１８記載の印刷版の回収容器。
【請求項２０】
前記識別情報記憶部は、前記印刷版に付与した識別情報に加えて、この識別情報に対応する印刷版のアルミニウム含有率及び１枚当たりの総重量を記憶するとともに、前記識別情報が読み取れない印刷版に対するアルミニウム含有率及び１枚当たりの総重量を記憶し、
前記第２判定部は、前記使用済みの印刷版の回収ごとに、前記識別情報記憶部内の印刷版のアルミニウム含有率及び１枚当たりの総重量に基づいて、現時点における回収梱包単位でのアルミニウム含有率を算出することを特徴とする請求項１９記載の印刷版の回収容器。
【請求項２１】
前記第２判定部は、
前記第１判定部によって再利用可能と判定された使用済みの印刷版の枚数を再利用可能枚数として計数する再利用可能枚数計数部と、
使用済みの印刷版の回収枚数を計数する回収枚数計数部と、
前記回収枚数及び再利用可能枚数に基づいて、前記回収容器単位での使用済みの印刷版のアルミニウム含有率を算出するアルミニウム含有率算出部と有することを特徴とする請求項１９または２０記載の印刷版の回収容器。
【請求項２２】
前記再利用可否判定ユニットは、
前記第１判定部の判定結果に基づき前記回収梱包単位における不純物含有率を求め、この不純物含有率が一定値未満である場合に前記回収梱包単位で再利用可能あると判定し、前記不純物含有率が一定値以上である場合に前記回収梱包単位で再利用不能であると判定する第３判定部を有することを特徴とする請求項１９ないし２１いずれか１項記載の印刷版の回収容器。
【請求項２３】
前記回収梱包単位で使用済みの印刷版が再利用可能であると判定された場合に、前記回収梱包単位の使用済みの印刷版の引取価格を第１引取価格として決定し、前記回収梱包単位で使用済みの印刷版が再利用不能であると判定された場合に、前記回収梱包単位の使用済みの印刷版の引取価格を、前記第１引取価格よりも低額な第２引取価格として決定する引取価格決定ユニットを有することを特徴とする請求項１９ないし２２いずれか１項記載の印刷版の回収容器。
【発明の詳細な説明】
【技術分野】
【０００１】
本発明は、印刷版の回収方法及びシステム並びにリサイクル方法、回収容器に関する。
【背景技術】
【０００２】
印刷版の支持体には、アルミニウムが広く使用されている。このアルミニウムの支持体には、粗面化処理、例えば、機械的粗面化処理、電気化学的粗面化処理、化学的粗面化処理、及びこれらを組み合わせた処理などによって、均一かつ緻密なくぼみ、いわゆるピットが多数形成されている。これにより、アルミニウムの支持体の上に形成される感光層との密着性を高めている。
【０００３】
均一かつ緻密なピットを形成するためには、印刷版の支持体のアルミニウム組成が高純度であることが必要である。そのため、支持体の原料として、アルミニウムの含有率が９９．７質量％以上であるアルミニウム母合金が用いられる。しかしながら、このアルミニウム母合金は近年の原材料高騰化により価格が高く、印刷版のコストを上げる一つの要因となっていた。
【０００４】
そこで、印刷版の支持体の原料として、アルミニウム母合金と合わせて、使用済みの印刷版を用いることによって、低コストに印刷版を製造する方法が提案されている（特許文献１及び２参照）。また、支持体のアルミニウム組成が異なる２種類の使用済み印刷版を原料として用いる印刷版の製造方法が提案されている（特許文献３参照）。
【０００５】
さらに、市販のアルミ缶などの低純度のアルミニウムも印刷版の支持体の原料として用いることによって、より低コストに印刷版を製造する方法が提案されている（特許文献４参照）。
【特許文献１】特許３４２０８１７号公報
【特許文献２】特開２０００−３５１０６０号公報
【特許文献３】特開２００２−２２５４４９号公報
【特許文献４】特開２００２−３３１７６７号公報
【発明の開示】
【発明が解決しようとする課題】
【０００６】
上述のように、使用済みの印刷版をその支持体の原料として用い、継続的に低コストで印刷版を製造するためには、その使用済みの印刷版を効率的かつ確実に回収するリサイクルシステムの構築が不可欠である。
【０００７】
しかしながら、現在のところ、アルミ缶などの低純度のアルミニウムをリサイクルするシステムは一般的ではあるものの、印刷版の支持体の原料となる高純度のアルミニウムをリサイクルするシステムは確立されていない。このため、高純度のアルミニウムであるにも関わらず、アルミ缶などと同じように低純度の扱いでリサイクルのために回収されており、使用済みの印刷版の有効利用が図られていなかった。
【０００８】
また、アルミニウムは各種分野に原材料として利用され且つその利用率は増加の一途をたどっている。このため、需要と供給のバランスが崩れて、近年アルミニウムの原材料価格が高騰している。したがって、アルミニウムが製品の大半を占める印刷版では、アルミニウムの原材料価格の変動の影響を受けやすい。このようなアルミニウムの原材料価格の高騰は、アルミニウムのリサイクル引取価格にも影響している。例えば、アルミニウムのリサイクル回収価格の変動を見ながら、使用済みの印刷版を処分するといったことも行われている。この場合には、使用済みの印刷版のリサイクル引取価格が安定しないため、使用済みの印刷版を印刷版の支持体の原料として継続的に回収することは困難である。
【０００９】
本発明は、使用済みの印刷版を効率的かつ確実に回収する印刷版の回収方法及びシステム並びにリサイクル方法、回収容器を提供することを目的とする。
【課題を解決するための手段】
【００１０】
上記目的を達成するために、本発明の印刷版の回収方法は、アルミニウム製の支持体を用いた印刷版に識別情報を付与する識別情報付与工程と、使用済みの印刷版を回収するときに、前記使用済みの印刷版の識別情報に基づいて、前記使用済みの印刷版の支持体が、前記印刷版の支持体として再利用可能であるか否かを判定する再利用可否判定工程とを有することを特徴とする。前記識別情報を識別情報読取部により読み取る識別情報読取工程を有することが好ましい。
【００１１】
前記再利用可否判定工程は、識別情報記憶部、照合部、及び第１判定部を用いて前記再利用可否の判定を行い、前記識別情報記憶部は、前記印刷版に付与した識別情報を記憶し、前記照合部は、前記使用済みの印刷版から読み取った識別情報と前記識別情報記憶部の識別情報とを照合し、前記第１判定部は、前記照合部で両者が一致した場合に、前記使用済みの印刷版の支持体が前記印刷版の支持体として再利用可能であると判定し、前記識別情報記憶部の識別情報のいずれにも一致しない場合に、前記使用済みの印刷版の支持体が前記印刷版の支持体として再利用不能であると判定することが好ましい。
【００１２】
前記使用済みの印刷版の回収は、複数の使用済みの印刷版を回収梱包単位でまとめて行い、前記再利用可否判定工程は、前記識別情報記憶部、前記照合部、前記第１判定部、及び第２判定部を用いて前記回収梱包単位で再利用可否の判定を行い、前記第２判定部は、前記第１判定部の判定結果に基づき前記回収梱包単位におけるアルミニウム含有率を求め、このアルミニウム含有率が一定値以上である場合に前記回収梱包単位で再利用可能であると判定し、前記アルミニウム含有率が一定値未満である場合に前記回収梱包単位で再利用不能であると判定することが好ましい。
【００１３】
前記識別情報記憶部は、前記印刷版に付与した識別情報に加えて、この識別情報に対応する印刷版のアルミニウム含有率及び１枚当たりの総重量を記憶するとともに、前記識別情報が読み取れない印刷版に対するアルミニウム含有率及び１枚当たりの総重量を記憶し、
前記第２判定部は、前記使用済みの印刷版の回収ごとに、前記識別情報記憶部内の印刷版のアルミニウム含有率及び１枚当たりの総重量に基づいて、現時点における回収梱包単位でのアルミニウム含有率を算出することが好ましい。
【００１４】
前記第２判定部は、再利用可能枚数計数部、回収枚数計数部、アルミニウム含有率算出部を有し、前記再利用可能枚数計数部は、前記第１判定部によって再利用可能と判定された使用済みの印刷版の枚数を再利用可能枚数として計数し、前記回収枚数計数部は、使用済みの印刷版の回収枚数を計数し、前記アルミニウム含有率算出部は、前記回収枚数及び再利用可能枚数に基づいて、前記回収梱包単位での使用済みの印刷版のアルミニウム含有率を算出することが好ましい。
【００１５】
前記使用済みの印刷版の回収は、複数の使用済みの印刷版を回収梱包単位でまとめて行い、前記再利用可否判定工程は、前記識別情報記憶部、前記照合部、前記第１判定部、及び第３判定部を用いて前記回収梱包単位で再利用可否の判定を行い、前記第３判定部は、前記第１判定部の判定結果に基づき前記回収梱包単位における不純物含有率を求め、この不純物含有率が一定値未満である場合に前記回収梱包単位で再利用可能であると判定し、前記不純物含有率が一定値以上である場合に前記回収梱包単位で再利用不能であると判定することが好ましい。
【００１６】
前記回収梱包単位で使用済みの印刷版が再利用可能であると判定された場合に、前記回収梱包単位の使用済みの印刷版の引取価格を第１引取価格として決定し、前記回収梱包単位で使用済みの印刷版が再利用不能であると判定された場合に、前記回収梱包単位の使用済みの印刷版の引取価格を、前記第１引取価格よりも低額な第２引取価格として決定する引取価格決定工程を有することが好ましい。
【００１７】
印刷の管理、前記印刷版の管理、印刷に用いるインキの管理、及び印刷用紙などの被印刷体の管理を行うための識別情報を、前記印刷版に付与することが好ましい。ＩＣタグを用いて識別情報を前記支持体に付与し、前記識別情報読取部をＩＣタグリーダから構成し、前記ＩＣタグリーダを用いて前記ＩＣタグから前記識別情報を読み取ることが好ましい。
【００１８】
前記ＩＣタグは、１回のみの情報の書込みが可能な第１記憶領域と、情報の書込みが可能な第２記憶領域とを有し、前記第１記憶領域には前記使用済みの印刷版の支持体が再利用可能であるか否かを判定するための前記識別情報が記憶され、前記第２記憶領域には印刷の管理、前記印刷版の管理、印刷に用いるインキの管理、及び印刷用紙などの被印刷体の管理を行うための前記識別情報が記憶されることが好ましい。
【００１９】
本発明の印刷版のリサイクル方法は、上記記載の本発明の印刷版の回収方法による印刷版の回収工程と、前記再利用可否判定工程で再利用可能と判定された使用済みの印刷版を、前記印刷版の支持体のアルミニウム原料としてリサイクルするリサイクル工程とを含むことを特徴とする。
【００２０】
前記リサイクル工程は、前記回収工程で回収された前記使用済みの印刷版を少なくとも回収梱包単位で溶解及び鋳造して再生インゴットを製造するインゴット製造工程と、前記再生インゴットの組成を分析する組成分析工程と、前記組成分析工程における組成分析が、前記印刷版の支持体の原料として再利用可能なアルミニウム含有率を満たしているか否かの合否判定をする組成判定工程とを有することが好ましい。
【００２１】
前記組成判定工程で合格と判定されたときに、前記第１引取価格を用いて引き取り、前記組成判定工程で不合格と判定されたときに、前記第１引取価格に代えて、前記第２引取価格を用いて引き取ることが好ましい。前記組成判定工程により合格と判定された使用済みの印刷版から製造される再生インゴットを用いて圧延し、前記印刷版の支持体を製造する圧延工程を有することが好ましい。
【００２２】
本発明の印刷版の回収システムは、アルミニウム製の支持体を用いた印刷版に識別情報を付与する識別情報付与ユニットと、使用済みの印刷版を回収するときに、前記使用済みの印刷版の識別情報に基づいて、前記使用済みの印刷版の支持体が、前記印刷版の支持体として再利用可能であるか否かを判定する再利用可否判定ユニットとを有することを特徴とする。
【００２３】
本発明は、アルミニウム製の支持体に識別情報が付与された印刷版を回収する印刷版の回収容器において、使用済みの印刷版が入れられる容器本体と、前記容器本体に取り付けられ、前記使用済みの印刷版の識別情報を読み取る識別情報読取ユニットと、前記識別情報読取ユニットにより読み取った識別情報に基づいて、前記使用済みの印刷版の支持体が、前記印刷版の支持体として再利用可能か否かを判定する再利用可否判定ユニットと、前記再利用可否判定ユニットによる判定結果を出力する出力ユニットとを有することを特徴とする。
【００２４】
前記再利用可否判定ユニットは、前記印刷版に付与されている識別情報を記憶する識別情報記憶部と、前記使用済みの印刷版から読み取った識別情報と前記識別情報記憶部の識別情報とを照合する照合部と、前記照合部で両者が一致した場合に、前記使用済みの印刷版の支持体が前記印刷版の支持体として再利用可能であると判定し、前記識別情報記憶部の識別情報のいずれにも一致しない場合に、前記使用済みの印刷版の支持体が前記印刷版の支持体として再利用不能であると判定する第１判定部とを有することが好ましい。
【００２５】
前記再利用可否判定ユニットは、前記第１判定部の判定結果に基づき前記回収梱包単位におけるアルミニウム含有率を求め、このアルミニウム含有率が一定値以上である場合に前記回収梱包単位で再利用可能であると判定し、前記アルミニウム含有率が一定値未満である場合に前記回収梱包単位で再利用不能であると判定する第２判定部を有することが好ましい。
【００２６】
前記識別情報記憶部は、前記印刷版に付与した識別情報に加えて、この識別情報に対応する印刷版のアルミニウム含有率及び１枚当たりの総重量を記憶するとともに、前記識別情報が読み取れない印刷版に対するアルミニウム含有率及び１枚当たりの総重量を記憶し、前記第２判定部は、前記使用済みの印刷版の回収ごとに、前記識別情報記憶部内の印刷版のアルミニウム含有率及び１枚当たりの総重量に基づいて、現時点における回収梱包単位でのアルミニウム含有率を算出することが好ましい。
【００２７】
前記第２判定部は、前記第１判定部によって再利用可能と判定された使用済みの印刷版の枚数を再利用可能枚数として計数する再利用可能枚数計数部と、使用済みの印刷版の回収枚数を計数する回収枚数計数部と、前記回収枚数及び再利用可能枚数に基づいて、前記回収容器単位での使用済みの印刷版のアルミニウム含有率を算出するアルミニウム含有率算出部と有することが好ましい。
【００２８】
前記再利用可否判定ユニットは、前記第１判定部の判定結果に基づき前記回収梱包単位における不純物含有率を求め、この不純物含有率が一定値未満である場合に前記回収梱包単位で再利用可能あると判定し、前記不純物含有率が一定値以上である場合に前記回収梱包単位で再利用不能であると判定する第３判定部を有することが好ましい。
【００２９】
前記回収梱包単位で使用済みの印刷版が再利用可能であると判定された場合に、前記回収梱包単位の使用済みの印刷版の引取価格を第１引取価格として決定し、前記回収梱包単位で使用済みの印刷版が再利用不能であると判定された場合に、前記回収梱包単位の使用済みの印刷版の引取価格を、前記第１引取価格よりも低額な第２引取価格として決定する引取価格決定ユニットを有することが好ましい。
【００３０】
前記識別情報はＩＣタグを用いて前記支持体に付与されており、前記識別情報読取ユニットはＩＣタグリーダを有することが好ましい。前記再利用可否判定ユニットによって再利用不能であると判定された場合に、アラームを発する警報器を有することが好ましい。
【発明の効果】
【００３１】
本発明によれば、使用済みの印刷版から識別情報を読み取って、この識別情報に基づいて、使用済みの印刷版の支持体が前記印刷版の支持体として再利用可能であるか否かを判定し、再利用可能と判定された使用済みの印刷版を、印刷版の支持体のアルミニウム原料としてリサイクルすることで、高純度のアルミニウムを有する使用済みの印刷版のみを確実に回収することができ、リサイクル効率を上げることができる。また、再利用可能な同一材質での回収、同等組成の印刷版への再生が可能となり、印刷版の支持体であるアルミニウム資源の有効利用を図ることができる。
【００３２】
また、使用済みの印刷版のアルミニウム含有率が回収梱包単位で一定値以上か否かを判定することにより、回収梱包単位での溶解が可能となり、再選別等の仕分け作業を不要として、効率よくリサイクルすることができる。
【００３３】
また、使用済みの印刷版の引取価格を、アルミニウム地金の価格変動によらず、再利用可能か否かの判定結果に応じて決めることで、適正な引取価格を設定することができるため、継続的に使用済みの印刷版を回収することができる。
【発明を実施するための最良の形態】
【００３４】
図１に示すように、平版印刷版製造設備１０では、アルミニウム合金からなるアルミニウム帯状体１１に、表面化処理、陽極酸化処理を各処理工程１２，１３で施して平版印刷版用支持体１４が構成される。この平版印刷版支持体１４に対し、必要に応じて下塗層が塗布工程１５で塗布されるとともに、感光層が塗布工程１６で塗布される。その後に、ＩＣタグ付与工程１７が行われる。これにより、平版印刷版原版１８（以下「印刷版」という）が構成される。その後に、印刷版１８は所定枚数ごとに梱包されて製品パック１９とされる。
【００３５】
ＩＣタグ付与工程１７では、印刷版１８の面のうち感光層がない部分または印刷に利用されない感光層部分、例えば印刷版の端面や周縁面などに、ＩＣタグ１８ａが接着シールにより貼り付けられる。ＩＣタグ１８ａには、周知のように内蔵メモリに識別コードが記憶されている。識別コードの読み取りは、ＩＣタグリーダ２２を用いて電波や電磁波により行われる。本実施形態で用いるＩＣタグ１８ａは小型化が図られており、ＩＣタグリーダ２２側からのアンテナにより非接触で電力が伝送されるタイプであり、電池を必要としない。
【００３６】
なお、ＩＣタグ１８ａの印刷版１８への付与は、シール添付や接着などに限らない。例えば、印刷版の端面に凹部を形成し、この凹部にＩＣタグを埋め込んでもよい。また、ＩＣタグが他品種、他メーカ等の他の印刷版に取り付けられることを防止するために、ＩＣタグを一度印刷版に付与したら取り外せないようにすることが好ましい。また、仮に、印刷版からＩＣタグが取り外された場合には、ＩＣタグがＩＣタグリーダにより読取不能となるようにすることが好ましい。また、ＩＣタグ１８ａは、平版印刷版製造設備のＩＣタグリーダ２２及び後述する印刷設備に設置の印刷版回収受付機のＩＣタグリーダ４２以外のＩＣタグリーダでは読み取りができないようにすることが好ましい。
【００３７】
出荷時には、ＩＣタグリーダ２２によって印刷版の識別コードが読み取られ、この識別コードと印刷版の仕様情報とが対応付けられて、製品管理サーバ２４に記憶される。仕様情報としては、印刷版の品種、サイズ、一枚当たりの支持体のアルミニウム含有率、一枚当たりの不純物含有率、一枚当たりの総重量の他に、メーカー名、製品名、ロット番号などがある。なお、ＩＣタグの記憶容量が大きい場合には、これらの仕様情報も識別コードとともに記憶してもよい。この場合には、埋め込み前にＩＣタグ１８ａ内に仕様情報を書き込んでもよく、またはＩＣタグ１８ａを印刷版に埋め込んだ後に、ＩＣタグ１８ａに仕様情報を書き込んでもよい。
【００３８】
また、予めＩＣタグ１８ａ内の識別コードが判っている場合には、新たにＩＣタグ１８ａから識別コードを読み取ることなく、この識別コードと仕様情報とを対応させて、製品管理サーバ２４に記憶してもよい。さらには、識別コードが記憶されていないＩＣタグ１８ａを用いる場合には、平版印刷版支持体１４に対してＩＣタグ１８ａを付与する前に、または後に、識別コードをＩＣタグライタにより書き込む。
【００３９】
製品管理サーバ２４に記憶された識別コードとこれに対応する仕様情報とは、ネットワーク２７を介して、識別コード記録サーバ２８に書き込まれる。
【００４０】
製品パック１９は必要に応じて販売業者を介して、あるいは印刷版のメーカーから直接に新聞社、出版社、印刷業者に納入される。例えば、印刷業者が有する印刷設備３０では、印刷板１８を用いて、画像露光・現像処理工程３１を行い製版する。この製版を輪転機に取り付けて、印刷処理工程３２を行う。印刷を終えた使用済みの印刷版３３は、回収容器３５に廃棄される。
【００４１】
回収容器３５は、パレット３６と、このパレット３６の上に載せられる金網ボックス３７とから構成されており、パレット３６が底板を構成している。また、金網ボックス３７はパレット３６から着脱自在に取り付けられている。また、金網ボックス３７には、使用済みの印刷版３３の投入口３７ａが設けられている。また、投入口３７ａの近くには、印刷版回収受付機４０が設けられている。
【００４２】
図２（Ａ）に示すように、印刷版回収受付機４０の内部には、投入検出部４１、ＩＣタグリーダ４２、液晶ディスプレイ４３、操作パネル４４、アラーム４５、プリンタ４６、データ転送部４７、これらと相互に接続するコントローラ５０が設けられている。データ転送部４７は、無線によってネットワーク２７と接続している。また、図２（Ｂ）に示すように、印刷版回収受付機４０の前面には、液晶ディスプレイ４３、操作パネル４４、アラーム４５、プリント排出口４６ａが露呈している。
【００４３】
コントローラ５０はＲＯＭ５１を備えており、このＲＯＭ５１には使用済みの印刷版３３の投入枚数を計数する投入枚数計数処理、投入された使用済みの印刷版３３が再利用可能か否かを判定する第１判定処理、再利用可能な使用済みの印刷版３３の枚数を計数する再利用可能枚数計数処理、回収容器単位（回収梱包単位）で使用済みの印刷版３３のアルミニウム含有率を算出するアルミニウム含有率算出処理、回収容器単位で使用済みの印刷版３３の不純物含有率を算出する不純物含有率算出処理、一定量の印刷版が投入された後に、回収容器単位でアルミニウム含有率が基準値を超えているか否かを判定する第２判定処理、第２判定処理の後に、回収容器単位で不純物含有率が基準値未満であるか否かを判定し、その判定結果に基づいて回収容器単位で使用済みの印刷版が再利用可能であるか否かを判定する第３判定処理を行うプログラムが記憶されている。さらに、ＲＯＭ５１には、第２判定処理に続いて、回収容器単位での引取価格演算処理を行うプログラムが記憶されている。なお、使用済みの印刷版の不純物含有量を算出せずに、アルミニウム含有率のみで使用済みの印刷版が再利用可能か否かを判定してもよい。
【００４４】
以下、図３に示すフローチャートを参照しながら、使用済みの印刷版の回収方法について説明する。
【００４５】
投入検出部４１は、使用済みの印刷版３３が投入口３７ａから投入されたことを検出すると、投入検出信号をコントローラ５０に送信する。コントローラ５０内には投入枚数カウンタ５２が設けられており、投入検出信号に基づき、使用済みの印刷版３３の投入枚数を計数する。この投入枚数の値は液晶ディスプレイ４３に表示される。ＩＣタグリーダ４２は、投入口３７ａを通過する使用済みの印刷版３３のＩＣタグから識別コードを読み取る。読み取った識別コードは、コントローラ５０に送られる。
【００４６】
読み取った識別コードから、使用済みの印刷版３３が印刷版１８の支持体として再利用可能なものか否かを判定する。再利用が可能か否かは、読み取った識別コードが、コントローラ５０内の識別コードテーブル５３に記憶されている多数の識別コードのいずれかに一致しているか否かにより判定する。識別コードテーブル５３内の識別コードに該当しているか否かは、照合部５４における識別コードの照合により行われる。なお、識別コードテーブル５３内の識別コードは、所定時間毎に、データ転送部４７を介して、識別コード記録サーバ２８内の識別コードと同期しており、常に最新のデータに更新されている。
【００４７】
読み取った識別コードが識別コードテーブル５３内の識別コードのいずれかに一致している場合には、投入された使用済みの印刷版３３が再利用可能とされる。この場合には、再利用可能枚数カウンタ５５に「１」が加算され、カウントアップされる。この再利用可能枚数の値は、液晶ディスプレイ４３に表示される。
【００４８】
また、読み取った識別コードを用いて、現時点における回収容器単位の使用済みの印刷版３３のアルミニウム含有率及び不純物含有量が算出される。前記識別コードテーブル５３には、各識別コードと、これに対応する印刷版１８のアルミニウム含有率、印刷版の不純物含有率、及び１枚当たりの印刷版の総重量が記憶されている。印刷版１８の不純物としては、支持体に含有されるＣｕ、Ｓｉ、Ｔｉ、Ｆｅ、Ｚｎ、Ｍｎの合計６種類の不純物がある。なお、印刷版の不純物として上記６種類の不純物を挙げたが、不純物の種類及び数はそれらに限る必要はない。また、印刷版の不純物含有率は、使用済みの印刷版に付着した塗布物やインクなどに含まれる金属、例えばシアンインクに含まれる銅などに影響されるが、本実施形態では、それら塗布物等の金属の影響を考慮しない。
【００４９】
また、識別コードを読み取ることができない使用済みの印刷版（以下「読取不可の使用済みの印刷版」という）が回収容器３５に投入されたときのために、読取不可の使用済みの印刷版をアルミ缶などの低純度のアルミ製品とし、識別コードテーブル５３に、その低純度のアルミ製品の平均アルミニウム含有率、不純物含有率、及び平均的な印刷版の１枚当たりの総重量を記憶している。
【００５０】
識別コードテーブル５３から、読み取った識別コードに対応するアルミニウム含有率及び総重量を特定し、これらを互いに乗じることにより使用済みの印刷版のアルミニウム含有量を求める。また、識別コードテーブル５３から、読み取った識別コードに対応する不純物含有率及び総重量を特定し、これらを互いに乗じることにより使用済みの印刷版の不純物含有量を求める。
【００５１】
識別コードが読み取れなかった場合には、識別コードテーブル５３に記憶された低純度のアルミ製品のアルミニウム含有率に、同じく識別コードテーブル５３に記憶された平均的な印刷版の１枚当たりの総重量を乗じることにより、読取不可の使用済みの印刷版のアルミニウム含有量を求める。また、識別コードテーブル５３に記憶された低純度のアルミ製品の不純物含有率に、同じく識別コードテーブル５３に記憶された平均的な印刷版の１枚当たりの総重量を乗じることにより、読取不可の使用済みの印刷版の不純物含有量を求める。
【００５２】
求められたアルミニウム含有量、不純物含有量、及び総重量は積算部５６においてそれぞれ積算され、これら積算値が現時点における回収容器単位のアルミニウム含有量、不純物含有量、及び総重量となる。そして、現時点のアルミニウム含有量の積算値を現時点の総重量で除することにより、現時点での回収容器単位のアルミニウム含有率が求められる。また、現時点の不純物含有量の積算値を現時点の総重量で除することにより、現時点での回収容器単位の不純物含有率が求められる。この回収容器単位のアルミニウム含有率及び不純物含有率は、液晶ディスプレイ４３に表示される。
【００５３】
コントローラ５２は、総投入枚数が受け入れ許容枚数に達した時点で、アラーム４５を発し、オペレータに回収容器３５が満杯になったことを知らせる。そして、この時点において、回収容器単位のアルミニウム含有率が一定値以上であり、且つ、回収容器単位の不純物含有率の全てが基準値未満である場合には、回収容器単位で使用済みの印刷版３３が再利用可能であると判定される。不純物含有率の基準値は、例えば、Ｃｕが０．０８％以下、Ｓｉが０．１８５％以下、Ｔｉが０．０８％以下、Ｆｅが０．７％以下、Ｚｎが０．０５％以下、Ｍｎが０．０５％以下である。また、再利用可能と判定されると、回収容器単位の使用済みの印刷版３３の引取価格が、第１引取価格と決定される。この第１引取価格は、一般的なアルミ缶などの引取価格よりも高い価格に設定されている。
【００５４】
一方、回収容器単位のアルミニウム含有率が一定値未満であり、又は、回収容器単位の不純物含有率のうち一つでも基準値を超えている場合には、回収容器単位で使用済みの印刷版３３が再利用不能であると判定され、回収容器単位の使用済みの印刷版３３の引取価格が、第１引取価格よりも低額な第２引取価格と決定される。
【００５５】
引取価格が決定すると、データ転送部４７を介して、パレット識別コード、総投入枚数、再利用可能枚数、アルミニウム含有率、再利用判定結果、引取価格を含む回収データが取引管理サーバ５８に書き込まれる。また、回収データの内容がプリントされたラベルが、プリント排出口４６ａから排出される。そして、オペレータは、金網ボックス３７を外し、金属バンド等を用いて使用済みの印刷版３３とパレット３６とを結束する。このパレット３６に上記ラベルを貼り付けて、リサイクル設備６０に送る。
【００５６】
図１に示すように、リサイクル設備６０では、まず、使用済みの印刷版３３の受け入れ検査工程６１が行われる。この受け入れ検査工程６１では、「再利用可能」のラベルがパレット３６に張り付けられている場合には、使用済みの印刷版３３は印刷版１８の支持体のアルミニウム原料として再利用するアルミニウム支持体リサイクル工場６０ａに送られ、「再利用不能」のラベルがパレット３６に貼り付けられている場合やラベルが貼りつけられていない場合には、使用済みの印刷版３３は一般の低純度アルミニウムリサイクル工場６０ｂに送られる。
【００５７】
アルミニウム支持体リサイクル工場６０ａでは、まず、使用済みの印刷版３３のインゴット化工程６２が行われる。使用済みの印刷版３３が溶解炉（図示省略）に回収容器単位で溶解された後に、その溶解したものを鋳造することにより再生インゴット６３が製造される。
【００５８】
製造された再生インゴット６３のうちのいくつかは抜き打ちされ、発光分析器などの組成分析装置（図示省略）により組成分析工程６４が行われる。組成分析工程６４では、抜き打ちした再生インゴット６３のアルミニウム含有率が測定される。測定した結果、再生インゴット６３のアルミニウム含有率が、印刷版１８の支持体の原料として再利用可能な含有率である場合には、製造した再生インゴット６３がアルミ圧延工程６５に送られる。また、取引管理サーバ５８に記録された第１引取価格に相当する金額が、使用済みの印刷版３３の対価として印刷業者に支払われる。
【００５９】
一方、再生インゴット６３のアルミニウム含有率が印刷版１８の支持体の原料として再利用不能である含有率である場合には、製造した再生インゴット６３を一般の低純度のアルミニウムリサイクル工場６０ｂに送る。また、取引管理サーバ５８に記録された第１引取価格に代えて第２引取価格に相当する金額が、使用済みの印刷版３３の対価として顧客に支払われる。
【００６０】
アルミ圧延工程６５では、再生インゴット６３に、アルミニウム含有率が９９．７質量％以上の高純度アルミニウム６６を加えたものを溶解して、圧延が容易なスラブを鋳造する。そして、このスラブを圧延して、印刷版１８の支持体となるアルミニウム帯状体１１を製造する。このアルミニウム帯状体１１は、平版印刷版製造設備１０に送られ、印刷版１８の支持体としてリサイクルされる。なお、アルミ圧延工程では、高純度アルミニウムを加えずに、再生インゴットのみを溶解してスラブを鋳造してもよい。
【００６１】
なお、本実施形態では、識別コードを記憶したＩＣタグを印刷版に付与し、回収した使用済みの印刷版から識別コードをＩＣタグリーダにより読み取ったが、これに限る必要はない。
【００６２】
例えば、識別コードを電子データとしてＩＣタグなどに記憶させる代わりに、目に見える形で識別コードを印刷版に直接的に付与してもよい。例えば、識別コードとしてバーコードを印刷版に付与してもよい。この場合には、回収した使用済みの印刷版から、バーコードをバーコードリーダにより読み取る。また、製造者名、製造者のロゴマーク、製造日、品種などの文字や図形（以下「識別文字等」という）を印刷版に付与してもよい。識別文字等を読み取る方法としては、使用済みの印刷版に付された識別文字等をカメラ等の撮像装置により撮像し、この撮像で得られた画像に対してパターン認識等の画像処理を施し、この画像処理の処理結果に基づき識別文字等を読み取る。
【００６３】
上述したバーコードや識別文字などを印刷版に付与する箇所としては、印刷版の両面に感光層が塗布されている場合には感光層以外の部分または印刷に利用されない感光層部分、例えば端面や周縁面など、また、印刷版の片面のみに感光層が塗布されている場合には感光層が塗布されていない裏面などが好ましい。また、バーコードや識別文字等を印刷版に付与する際には、それら識別文字等を一度印刷版に付与したら二度と抹消できないようにすることが好ましい。
【００６４】
バーコードや識別文字等を付与する方式としては、例えば、レーザーマーカにより付与するレーザマーカ方式、インクジェットプリンタの印字により付与するインクジェット方式、ＣＥ（Chemical Electric）処理やエッジングにより付与するエッチング方式などがある。その他に、ドットプリント方式、肉眼で見ることができないマイクロ文字を切欠等の刻印や磨耗痕により付与する刻印方式、油性インキを用いたスタンプによる付与するスタンプ方式がある。
【００６５】
インクジェット方式では、インクジェットプリンタによりバーコードや識別文字等を印刷した後に、その印刷部分の上に、金属酸化物と有機高分子化合物と可塑剤とを含む被覆層を形成することが好ましい。これにより、印刷部分が消えにくくなる。また、エッチング方式では、バーコードや識別文字等の形状に合わせて形成された貫通孔を有する絶縁性のマスキング版を印刷版に取り付け、この状態でエッチングを行うことが好ましい。このエッチング方式により、１点あたりの深さが１０μｍ以下、その直径が５０μｍ以下となるように識別文字等を付与することが好ましい。また、油性インキを用いたスタンプ方式では、プレートクリーナや現像処理後に、バーコードや識別文字等を付与することが好ましい。
【００６６】
なお、本実施形態では、感光層塗布後であって製品パックの梱包前にＩＣタグを付与したが、これに限る必要はなく、表面処理時にＩＣタグや上記バーコード及び識別文字等を付与してもよく、アルミニウム帯状体を所定のサイズに切断した後にＩＣタグ等を付与してもよい。
【００６７】
本実施形態では、ＩＣタグを製品出荷時に付すようにしたが、識別コードを記憶したＩＣタグ付きラベルシートや識別文字等が印刷されたラベルシートを製品パックと一緒に出荷し、印刷設備で廃棄するときには使用済みの印刷版それぞれに対して出荷時添付のラベルシートを添付して、同種同士の使用済みの印刷版を一緒にして廃棄処理してもよい。
【００６８】
本実施形態では、ＩＣタグを印刷版に一枚一枚付与したが、出荷時に印刷版を梱包した製品パック単位で、上記ＩＣタグ付きラベルシートや識別文字等が印刷されたラベルシートを付与してもよい。
【００６９】
本実施形態では、印刷版を製造する平版印刷版製造設備でＩＣタグを印刷版に付与したが、印刷版の出荷先の印刷設備でＩＣタグや識別文字等を付与してもよい。この場合には、印刷設備で印刷版にＩＣタグ付きラベルシートやバーコード及び識別文字等が印刷されたラベルシートを付与する他に、製版装置で識別コードや識別文字等を印刷版に焼き付けたりする。この場合、製版装置においても同様に、上述のレーザマーカ方式、インクジェット方式、エッチング方式、ドットプリント方式、刻印方式、スタンプ方式などによりバーコードや識別文字等を付与する。
【００７０】
本実施形態では、印刷版に付与した識別コードを、使用済みの印刷版が再利用可能か否かの判定に用いたが、識別コードの用途をこれに限る必要はない。例えば、繰り返し利用可能な印刷版を印刷設備で使用する場合には、印刷版の識別コードから印刷版の経時劣化状態を特定できる印刷版管理装置を設け、その印刷版の識別コード及び印刷版管理装置により印刷版を管理、例えば、印刷版の交換時期等を把握してもよい。
【００７１】
また、印刷設備において、デジタルの画像データに基づき直接的に印刷版に画像形成をするＣＴＰ（Computer To Plate）製版装置が使用される場合には、平版印刷版製造設備で識別コードを印刷版に付与する代わりに、ＣＴＰ製版装置で画像形成と同時に識別コードを付与する。そして、印刷機で印刷版から識別コードを読み出し、その読み出した識別コードに基づいて印刷の管理を行ってもよい。
【００７２】
また、文書名、版名などの印刷版管理情報、インキメーカ、インキ特性、色、量などのインキ管理情報、表面処理、印刷枚数、印刷用紙のサイズ及び厚さなどの被印刷体管理情報などを印刷版のＩＣタグに記憶させ、印刷設備でそれら管理情報に基づいて、印刷版の管理、インキの管理、被印刷体の管理を行ってもよい。
【００７３】
本実施形態では、ＩＣタグに識別コードのみを記憶させたが、ＩＣタグには識別コード以外の情報を記憶してもよい。この場合には、ＩＣタグの記憶領域を、１回のみの情報の書込みが可能な第１記憶領域と、１回または複数回の情報の書込みが可能な第２記憶領域とから構成し、第１記憶領域には識別コードや仕様情報などの印刷版の固有情報を記憶し、第２記憶領域には前述した印刷設備での印刷に関する情報、すなわち、印刷版の経時劣化状態に関する情報、ＣＴＰ製版装置の画像形成に関する情報、印刷版管理情報、インキ管理情報、及び被印刷体管理情報を記憶する。
【００７４】
第１記憶領域については、複数回の書込みを禁止することで、印刷版の出荷から使用済みの印刷版の回収までの間に、識別コードや仕様情報が改変されることが防止される。これにより、使用済みの印刷版の再利用可否の判定を確実に行うことができる。また、第１記憶領域の他に、印刷版の管理などに利用できる第２記憶領域を設けることで、ＩＣタグの用途を使用済みの印刷版の再利用可否判定以外にも広げることができる。
【００７５】
本実施形態では、印刷設備に回収容器を設置し、この回収容器に取り付けた印刷版回収受付機により、投入された使用済みの印刷版が支持体の原料として再利用可能か否かを判定したが、リサイクル設備で使用済みの印刷版が再利用可能か否かを判定してもよい。
【００７６】
本実施形態では、ＩＣタグリーダで読み取った識別コードに基づいて使用済みの印刷版が再利用可能か否かを判定したが、これに限る必要はなく、識別コードから使用済みの印刷版の品種、メーカなどを特定し、その特定した品種ごと、メーカごとに使用済みの印刷版を分別してもよい。
【００７７】
本実施形態では、印刷版ごとに異なる識別コードを付与したが、これに限る必要はなく、最終的に使用済みの印刷版の支持体のアルミニウム含有率を特定することができるものであればよい。例えば、識別コードとして、同一ロット単位で付される製品ＩＤの他に、アルミニウム支持体の品種が識別可能なものでもよい。また、アルミニウム市況価格に反映させて引取価格を決定する場合には、印刷版製造日などが識別可能な情報を付与してもよい。
【００７８】
本実施形態では、ＩＣタグにより読み取った識別情報に基づいて再利用可否の判定を行ったが、これに限る必要はない。例えば、印刷版の販売の際に、リサイクル券を発行し、使用済みの印刷版にこのリサイクル券を添付して回収してもよい。この場合には、リサイクル券の有無によって再利用可能か否かを判断することができる。また、リサイクル券は回収容器単位ごとに一緒に添付する他に、使用済みの個々の印刷版に直接リサイクル券を張り付けるようにしてもよい。
【００７９】
本実施形態では、パレットと金網ボックスを組み合わせた回収容器を用いて、使用済みの印刷版を回収したが、これに限る必要はなく、パレットのみ又は金網ボックスのみで回収してもよい。また、大量の使用済みの印刷版を回収する際には、コンテナなどの容量の大きい回収容器を用いてもよい。また、使用済みの印刷版を再利用するための分別表を顧客に配布し、この分別表に従って、顧客側で使用済みの印刷版の分別を行ってもよい。この分別表には、印刷版の品種と再利用のための区分との関係が記載されている。また、印刷版の品種や支持体のアルミニウム組成ごとに区別された複数の回収容器を顧客に貸し出し、この回収容器によって使用済みの印刷版を品種等ごとに分別を行ってもよい。
【００８０】
本実施形態では、使用済みの印刷版のアルミニウム量積算値と総重量とに基づいて、回収容器単位でアルミニウム含有率を求めたが、これに限る必要はない。例えば、回収枚数、再利用可能枚数に基づいて回収率を算出し、この回収率に応じて回収容器単位のアルミニウム含有率を求めてもよい。また、識別コードテーブルには、アルミニウム含有率の代わりにアルミニウム量と、印刷版の総重量とを記憶しておき、使用済みの印刷版の投入ごとにそれらを積算することにより、回収容器単位でアルミニウム含有率を求めてもよい。
【００８１】
本実施形態では、再利用可能な使用済みの印刷版の引取価格として、アルミニウム原価価格の変動によらない第１価格を用いたが、より具体的な価格でもよい。例えば、印刷版の初回販売日における印刷版の支持体価格や、顧客との合意により決めた価格などを引取価格としてもよい。
【００８２】
また、印刷版の販売時に、印刷版の品種や販売枚数などに応じたポイントを顧客に提示し、使用済みの印刷版の引取時に、そのポイントに基づいて引取価格を決めてもよい。このように、引取価格の目安となるポイントを販売時に提示することによって、使用済みの印刷版の回収の促進を図ることができる。
【００８３】
また、回収容器にＩＣタグを設け、印刷版の販売時に、印刷版の品種や販売枚数などの販売情報を、その回収容器のＩＣタグに記憶させる。その上で、印刷版の回収時に、回収容器のＩＣタグ内の販売情報と、回収容器内の使用済みの印刷版についての情報とを照合し、その照合結果に基づいて引取価格を算出してもよい。
【００８４】
本実施形態では、識別コードが一致しない場合や読み取れない場合に、回収容器に投入された使用済みの印刷版が再利用不能であると判定したが、これに限る必要はない。例えば、使用済みの印刷版のアルミニウム組成が不明確な場合や、そのアルミニウム組成が再利用できないものである場合や、顧客の使用、保管条件で、混入を避けるべき異物が付着している場合に、再利用不能であると判定してもよい。
【００８５】
本実施形態では、回収容器単位のアルミニウム含有率が一定値以上であり、且つ、回収容器単位の不純物含有率の全てが基準値未満である場合に、回収容器単位で使用済みの印刷版を再利用可能であると判定したが、それらアルミニウム含有率の条件及び不純物含有率の条件のうちどちらか一方の条件を満たす場合に、回収容器単位で再利用可能と判定してもよい。
【００８６】
本実施形態では、回収容器中で複数の不純物含有率のうち一つでも基準値が超えた場合に回収容器単位で再利用不能としたが、これに限る必要はない。例えば、複数の不純物含有率うち一つが基準値を超えた場合には、再利用不能の判定ではなく、リサイクル設備でインゴット化可能の判定をする。そして、リサイクル設備で、そのインゴット化可能と判定された使用済みの印刷版をインゴット化して、不純物含有インゴットを製造する。そして、再利用可能の再生インゴットと不純物含有インゴットとを組み合わせてインゴット化し、組合せインゴットを製造する。このインゴット化を１回又は複数回繰り返すことにより、不純物含有インゴットで基準値を超えていた不純物含有率を低下させ、基準値内に抑えることができる。このように再生インゴットを用いて組合せインゴットを製造することで、不純物含有インゴットを有効利用することができる。
【００８７】
本実施形態では、識別コードを読み取ることができない使用済みの印刷版をアルミ缶などの低純度のアルミ製品として扱い、回収容器単位でのアルミニウム含有率及び不純物含有率の算出に際して、その低純度のアルミ製品の平均アルミニウム含有率、不純物含有率、及び平均的な印刷版の１枚当たりの総重量を用いたが、これに限る必要はない。例えば、識別コードを読み取ることができない使用済みの印刷版は、回収容器から取り除いておく。その上で、その取り除いた使用済みの印刷版のアルミニウム含有率、不純物含有率を組成分析装置等により測定する。そして、その測定結果を回収容器単位でのアルミニウム含有率及び不純物含有率の算出に反映させてもよい。また、品種、組成、純度、メーカ等が異なる使用済みの印刷版をリサイクルする場合にも、識別コードを読み取ることができない使用済みの印刷版は、回収容器から取り除いておく。その上で、取り除いた使用済みの印刷版の品種、組成、純度、メーカ等を確実に特定することが好ましい。
【００８８】
また、再利用不能な使用済みの印刷版の引取価格として、アルミ缶などの低純度のアルミニウム引取価格と同等の第２価格を用いたが、再溶解する際の溶解歩留まり、輸送費、異物除去費などを考慮し、その考慮した額を第２価格から減額してもよい。
【００８９】
本実施形態では、使用済みの印刷版を予め設定された引取価格で引き取ったが、これに限る必要はなく、アルミニウムの市場状況、過去の取引状況、顧客との契約関係、使用済みの印刷版の回収歩留まり、受け入れ検査の歩留まりなどに応じて、引取価格を適宜変化させてもよい。このように引取価格を変化させる場合には、本実施形態の識別コード記録サーバ及び取引管理サーバに加えて、アルミニウム原価価格、印刷版の価格、印刷版の支持体価格、顧客との過去の取引データ等を記録したサーバを設け、これらサーバ間で各種情報を連係しながら、使用済みの印刷版の引取価格を算出することが好ましい。
【００９０】
本実施形態では、使用済みの印刷版の引取毎に引取価格を決定したが、複数回引き取りを行った上で引取価格を決定してもよい。また、印刷版を販売する際に、その販売価格から前回の引取価格を差し引いた額を実質請求額として、顧客に要求してもよい。この実質請求額には、印刷設備からリサイクル設備までの運送費（顧客が負担する部分を除く）、保管料、インキ除去費、再利用可否検査費、溶解鋳造費などの再利用処理費用を加えることが好ましい。ここで、実質請求額に再利用処理費用を加えた額が印刷版の支持体の原価以上とならないように、引取価格を調整することが好ましい。なお、取引毎の実質請求額を安定化させるために、印刷版の販売枚数と使用済みの引取枚数は同等であることが好ましい。また、使用済みの印刷版の引取りの際には、その引取対象となる使用済みの印刷版が過去に販売した印刷版であることを確認することが好ましい。
【００９１】
本実施形態では、印刷版を出荷する設備と使用済みの印刷版を回収する設備とを別々の箇所に設けたが、同一箇所としてもよい。この場合には、出荷時の運搬車の帰り便で、使用済みの印刷版を回収することにより、運搬車から排出される炭酸ガスの量を抑制することができる。
【００９２】
本実施形態では、全ての使用済みの印刷版を受け入れて、アルミニウム含有率などを求め、回収容器単位で再利用可能か否かを判定したが、これに限られない。例えば、使用済みの印刷版を挿入する際に、まずＩＣタグから識別コードを読み取って、再利用可能か否かを判定する。その際、ＩＣタグが無い印刷版や識別コードが読み取り不能な印刷版が挿入された場合にはアラームを発して、投入を禁止するようにしてもよい。この場合には、挿入を止めて投入口から使用済みの印刷版を引き出して、別な回収容器に投入する。このように、投入段階で再利用可能か否かを判定して選別することで、再利用可能な使用済みの印刷版のみを回収することができるため、回収容器が満杯になったときの再利用可否の判定や、インゴットの抜き打ち検査などを不要とすることができる。
【００９３】
本実施形態では、回収容器の投入口近くに印刷版回収受付機を設けたが、これに代えて、ハンディタイプの印刷版回収受付機としてもよい。この場合には、回収容器に使用済みの印刷版を投入する前に、ハンディタイプの受付機により識別コードを読み取って、再利用可能か否かを判定する。
【００９４】
本実施形態では、印刷版を販売した後に、これをリサイクル品として回収するシステムについて説明したが、これに代えて、印刷版の支持体をレンタル品として扱い、印刷版の使用権のみをユーザーに有償で提供する場合にも、本発明の適用が可能である。この場合にも、印刷版に識別コードを付与して、この識別コードに基づき印刷版の支持体として再利用可能か否かを判定し、回収容器単位で回収する。
【図面の簡単な説明】
【００９５】
【図１】平版印刷版製造設備、印刷設備、及びリサイクル設備を示す概略図である。
【図２】（Ａ）は印刷版回収受付機の内部を示す概略図であり、（Ｂ）は印刷版回収受付機の前面を示す正面図である。
【図３】使用済みの印刷版を回収する方法を示すフローチャートである。
【符号の説明】
【００９６】
１０  平版印刷版製造設備
１７  ＩＣタグ埋め込み
１８  印刷版
１８ａ  ＩＣタグ
３０  印刷設備
３３  使用済みの印刷版
４１  投入検出部
４２  ＩＣタグリーダ
４５  アラーム
５０  コントローラ
５１  ＲＯＭ
５２  投入枚数カウンタ
５３  識別コードテーブル
５４  照合部
５５  再利用可能枚数カウンタ
５６  積算部
６０  リサイクル設備
６０ａ  アルミニウム支持体リサイクル工場
６０ｂ  低純度アルミニウムリサイクル工場
６３  再生インゴット
６４  組成分析
【図１】
2009096163.tif 000003
【図２】
2009096163.tif 000004
【図３】
2009096163.tif 000005